(57)【要約】【課題】簡単且つ手軽に使用でき、しかも特に顔面をマッサージしながら発汗を促進させることが出来る美顔具を提供する。【解決手段】頭部を覆うようにした一端が開口する袋状のマスク部材を備え、このマスク部材が外側シートと内側シートから構成されて、これら両シート間にはエアーの充填により膨張可能なエアー充填室が設けられ、またマスク部材には、使用者の目、鼻、口と対応する貫通孔が設けられ、口と対応する前記貫通孔の近くには、エアー充填室内にエアーを注入するためのエアー注入筒が設けられ、このエアー注入筒には、エアー充填室内のエアーが外部に漏出するのを防止するための逆止弁が設けられるとともに、この逆止弁には、エアー充填室内に注入されたエアーを徐々に外部に漏出させるための漏出機能が備えられ、エアーの注入に伴うエアー充填室の膨張動作により、前記内側シートを使用者の頭部外周面に密着させるようにしている。【選択図】図１
2009039166.tif 000002
【特許請求の範囲】
【請求項１】
頭部を覆うようにした一端が開口する袋状のマスク部材を備え、このマスク部材が外側シートと内側シートから構成されて、これら両シート間にはエアーの充填により膨張可能なエアー充填室が設けられ、またマスク部材には、使用者の目、鼻、口と対応する貫通孔が設けられると共に、口と対応する前記貫通孔の近くには、エアー充填室内にエアーを注入するためのエアー注入筒が設けられ、エアーの注入に伴うエアー充填室の膨張動作により、前記内側シートを使用者の頭部外周面に密着させるようにしていることを特徴とする美顔具。
【請求項２】
エアー注入筒には、エアー充填室内のエアーが外部に漏出するのを防止するための逆止弁が設けられるとともに、この逆止弁には、エアー充填室内に注入されたエアーを徐々に外部に漏出させるための漏出機能が備えられていることを特徴とする請求項１に記載の美顔具。
【発明の詳細な説明】
【技術分野】
【０００１】
本発明は、頭部に被って、顔面からの発汗を促進させることで、皮膚の活性化を図る美顔具に関する。
【背景技術】
【０００２】
美容のために顔面に汗を積極的にかかせて、顔面の皮膚の活性化を図る方法として、例えば、図８に示すような美顔ハットが提案されている。
【０００３】
即ち、この美顔ハットは、長楕円形の板状部Ａと、この板状部Ａの周縁に着脱自在に配設されたビニールシート製のスカート部材Ｂとから構成され、使用者の頭部Ｃが嵌合可能な開口を前記板状部Ａに設けると共に、スカート部材Ｂの長さをその下端部が湯面に浸漬するような長さとし、入浴に際して開口を介して板状部Ａを頭部に装着し、スカート部材Ｂの下端部を湯面中に浸漬させて、スカート部材内を閉空間として、この閉空間に溜まった湯気により、蒸し風呂に類似した状態を再現して、顔面の発汗作用を促進させるものである。（特許文献１参照）
しかしながら以上の美顔ハットでは、湯船につかった状態での使用に限定されるし、そのため、ともすると湯船内に長時間つかりすぎてのぼせてしまう問題があるのは勿論のこと、湯船内においてスカート部Ｂの下端部が湯面中に浸漬した状態を常に保つ必要があることから、湯船内で姿勢を自由に変えることが出来ず、湯船内での姿勢を一定に保つのに苦痛を感じることもある。
【特許文献１】特開２００４−２６７５７４号
【発明の開示】
【発明が解決しようとする課題】
【０００４】
本発明は、以上の実情に鑑みて開発したものであって、目的とするところは、簡単且つ手軽に使用でき、しかも特に顔面をマッサージしながら発汗を促進させることが出来る美顔具を提供することにある。
【課題を解決するための手段】
【０００５】
以上の目的を達成するために、請求項１に記載の発明は、頭部を覆うようにした一端が開口する袋状のマスク部材を備え、このマスク部材が外側シートと内側シートから構成されて、これら両シート間にはエアーの充填により膨張可能なエアー充填室が設けられ、またマスク部材には、使用者の目、鼻、口と対応する貫通孔が設けられると共に、口と対応する前記貫通孔の近くには、エアー充填室内にエアーを注入するためのエアー注入筒が設けられ、エアーの注入に伴うエアー充填室の膨張動作により、前記内側シートを使用者の頭部外周面に密着させるようにしていることを特徴とする。
【０００６】
請求項２に記載の発明は、請求項１に記載のエアー注入筒には、エアー充填室内のエアーが外部に漏出するのを防止するための逆止弁が設けられるとともに、この逆止弁には、エアー充填室内に注入されたエアーを徐々に外部に漏出させるための漏出機能が備えられていることを特徴とする。
【発明の効果】
【０００７】
請求項１に記載の発明によれば、マスク部材を頭部に被った状態で、エアー注入筒を口で銜えてエアーを吹き込むことで、エアー充填室にエアーを充填してマスク部材を膨らませると、内側シートが顔面等に圧接し、これにより、顔面等をマッサージしながら顔面などからの発汗が促進されて、皮膚の活性化が図れる。
【０００８】
一方、不使用時には、エアー充填室のエアーを外部に排出するだけで、マスク部材を小さく畳むことが出来、従って保管場所をとらない。
【０００９】
また請求項２に記載の発明によれば、請求項１に記載の発明の効果に加え、充填室内に充填されたエアーがわずかずつ外部に漏出されることから、使用者は萎んでくるマスク部材に対してその都度エアーの吹き込み動作を繰り返すことで、顔面等の圧迫と圧迫解消が繰り返されて、顔面等のマッサージ効果をより一層高めることが出来るし、また前記したように、充填室内のエアーが徐々に外部に漏出されるので、マスク部材を装着した状態で例えば湯船で不用意に居眠りなどしても、エアー充填室内のエアーが自然と抜け出て、充填室の膨張が解消されることから、例えば窒息などの事故が生じる危険性も解消される。
【発明を実施するための最良の形態】
【００１０】
以下、本発明にかかる美顔具の一実施形態を説明する。
【００１１】
先ず、図１は、本発明にかかる美顔具の一実施形態を示す正面図、図２は、同背面図、図３は、同分解図、図４は、要部の拡大説明図、図５は、図４におけるＸ−Ｘ線断面図、図６は要部の断面図である。
【００１２】
そして図において符号１で示す美顔具は、基本的には使用者の頭部から首を覆うマスク部材２から構成されている。
【００１３】
このマスク部材２は、図３にも示すように、正面側マスク片３と背面側マスク片４とにより、下端が開口する袋状に形成されたものであって、正面側マスク片３及び背面側マスク片４は、いずれも塩化ビニール製の外側シート３１・４１と同じく塩化ビニール製の内側シート３２・４２から構成されている。
【００１４】
そしてマスク部材２の正面側マスク片３及び背面側マスク片４を構成する外側シート３１・４１及び内側シート３２・４２の下縁以外の３方周縁が４枚一体に熱溶着されると共に、正面側マスク片３を構成する外側シート３１と内側シート３２の下縁並びに背面側マスク片４を構成する外側シート４１と内側シート４２の下縁がそれぞれ一体に熱溶着されて、正面側マスク体３を構成する外側シート片３１と内側シート片３２間、及び背面側マスク体４を構成する外側シート片４１と内側シート片４２間に、エアーの充填により膨張可能なエアー充填室Ｓ１・Ｓ２がそれぞれ設けられている。
【００１５】
また図６に示すように、両内側シート片３２・４２の上部を一部接合して、この接合部分に貫通孔４０を開設することで、両エアー充填室Ｓ１・Ｓ２が連通されている。
【００１６】
また正面側マスク片３を構成する外側シート３１と内側シート３２には、使用者の目と対応する貫通孔５ａと、鼻及び口と対応する貫通孔５ｂが設けられると共に、両シート３１・３２における貫通孔５ａ・５ｂの周縁部は熱溶着によりシールされている。
【００１７】
また正面側マスク片３を構成する外側シート３１において、口と対応する貫通孔５ｂの下方には、エアー吸排口６０を備えた接続筒６が設けられるとともに、この接続筒６には充填室内Ｓ１にエアーを注入するためのエアー注入筒６１が接続され、このエアー注入筒６１を介してエアー充填室Ｓ１・Ｓ２にエアーを注入するようにしている。
【００１８】
接続筒６におけるエアー吸排口６０には、エアー充填室Ｓ１・Ｓ２内に注入されたエアーを徐々に外部に漏出させるための漏出機能を備えた逆止弁７が設けられている。
【００１９】
即ちこの逆止弁７は、軟質の合成樹脂材料からなる２枚のシート片７１・７２から構成され、これら２枚のシート片７１・７２の三辺を熱溶着（図４において斑点Ｐで示す領域）により接続して、残り一辺を開口させた袋状に形成すると共に、開口部の中央もライン状に熱溶着（図４において斑点Ｒで示す領域）すると共に、一方のシート片７１に形成した通孔７３をエアー吸排口６０に連通させている。
【００２０】
尚、開口部の中央に設けたライン状の熱溶着部分（図４において斑点Ｒで示す領域）は、エアー充填室Ｓ１・Ｓ２内のエアーの漏出を調整するためのものである。
【００２１】
そして以上の逆止弁７にあっては、エアーの注入時には、エアーが両シート片７１・７２で画成される袋内を通過してエアー充填室Ｓ１・Ｓ２内に供給されると共に、供給されたエアーの圧力により、シート片７２がシート片７１にほぼ密着して、エアー充填室Ｓ１・Ｓ２内のエアーが外部に抜け出すのを抑制しながら両シート片７１・７２間の僅かな隙間を通って外部に漏出させるようにしている。
【００２２】
また正面側マスク片３を構成する外側シート３１には、エアー排出口８０を備えたノズル８が設けられる共に、このノズル８にはエアー排出口８０を開閉するための栓部材８１が設けられている。
【００２３】
以上の構造からなる美顔具１は、例えば入浴時に用いるのが効果的であって、この美顔具１を使用する場合には、先ず、マスク部材２を頭部に被って、目を貫通孔５ａに合わせると共に、鼻及び口を貫通孔５ｂに合わせた後、図７に示すように、エアー注入筒６１の遊端部を口でくわえてエアーを吹き込むのである。
【００２４】
そしてエアーがエアー充填室Ｓ１・Ｓ２にエアーが充填されてマスク部材２を膨らませると、内側シート３２・４２が顔面等に圧接するが、エアー充填室Ｓ１・Ｓ２内に充填されたエアーが逆止弁７の漏出機能によりわずかずつ外部に漏出されて、マスク部材２が萎むことから、使用者はマスク部材２が萎んでくる度にエアーの吹き込み操作を繰り返せばよいのであって、これにより、顔面等の圧迫と圧迫解消が繰り返されて、顔面等のマッサージ効果が高まるし、内側シート３２・４２の顔面等への圧接に伴い、顔面や首部分などからの発汗が促進されて、皮膚の活性化が図れるのである。
【００２５】
また、エアー充填室Ｓ１・Ｓ２内のエアーが徐々に外部に漏出されるので、マスク部材１を装着した状態で例えば湯船で不用意に居眠りなどしても、エアー充填室Ｓ１・Ｓ２内のエアーが自然と抜け出て、内側シート３２・４２の顔面等への密着が解除されるので、例えば窒息などの事故を未然に防ぐことが出来る。
【００２６】
一方、不使用時には、ノズル８に設けた栓部材８１を開いて、エアー充填室Ｓ１・Ｓ２のエアーを外部に排出すればよく、これにより、マスク部材２を小さく畳むことが出来て、マスク部材２の保管場所をとらない。
【００２７】
以上の実施形態では、逆止弁７にはエアー充填室Ｓ１・Ｓ２内に注入されたエアーを徐々に外部に漏出させるための漏出機能を設けたが、この漏出機能は必ずしも必要ではない。
【図面の簡単な説明】
【００２８】
【図１】本発明にかかる美顔具の一実施形態を示す正面図。
【図２】同、背面図。
【図３】同、分解図。
【図４】同、要部を拡大して示す説明図。
【図５】図４におけるＸ−Ｘ線断面図。
【図６】本発明にかかる美顔具の要部の断面図。
【図７】本発明にかかる美顔具の使用状態を示す説明図。
【図８】従来例としての美顔ハットの使用状態を示す説明図。
【符号の説明】
【００２９】
１      美顔具
２      マスク部材
３      正面側マスク片
３１    外側シート
３２    内側シート
４      背面側マスク片
４１    外側シート
４２    内側シート
５ａ・５ｂ  貫通孔
６      接続筒
６０    エアー給排口
６１    エアー注入筒
７      逆止弁
Ｓ１・Ｓ２  エアー充填室
【図１】
2009039166.tif 000003
【図２】
2009039166.tif 000004
【図３】
2009039166.tif 000005
【図４】
2009039166.tif 000006
【図５】
2009039166.tif 000007
【図６】
2009039166.tif 000008
【図７】
2009039166.tif 000009
【図８】
2009039166.tif 000010